(57)【要約】【課題】  軽く、構造が簡単で、容易に製造し、設置することができる水耕栽培装置を提供する。【解決手段】  水耕栽培装置１は、野菜等の植物を水耕栽培するものであり、植物を栽培する栽培用ベッド１０と、栽培用ベッド１０を所定の高さに支持する支持部２０とを備えている。栽培用ベッド１０及び支持部２０は発泡プラスチックにより構成されている。栽培用ベッド１０は、例えば、一方向に伸長された水槽１１と、この水槽１１の上に着脱可能に配設された定植板１２とを有しており、内部には液肥を流通させる流通部１３が形成されている。水槽１１は、例えば、長さ方向において複数に分割された水槽分割部材１１Ａ，１１Ｂを接合することにより形成されている。【選択図】図２
2013128593.tif 000002
【特許請求の範囲】
【請求項１】
内部に液肥を流通させる流通部を有し、上面に複数の定植孔が開孔された栽培用ベッドと、
この栽培用ベッドを所定の高さに支持する支持部とを備え、
前記栽培用ベッド及び前記支持部は発泡プラスチックにより構成された
ことを特徴とする水耕栽培装置。
【請求項２】
前記栽培用ベッドは、一方向に伸長された水槽と、この水槽の上に配設され、複数の定植孔が設けられた定植板とを有し、
前記水槽は、長さ方向において複数に分割された水槽分割部材を接合することにより形成されたことを特徴とする請求項１記載の水耕栽培装置。
【請求項３】
前記水槽の幅方向の中央部に、底部に沿って、長さ方向に伸長して設けられた金属製の底部補強部材を備えたことを特徴とする請求項２記載の水耕栽培装置。
【請求項４】
前記支持部は、前記水槽の底部に沿って幅方向に伸長して設けられた底部支持部と、この底部支持部の両端側から下方に伸長して設けられた一対の脚部と、この一対の脚部を下側において連結する連結部と、前記底部支持部の中央部から前記一対の脚部と前記連結部との接合部に向かい斜めに伸長して設けられた一対の傾斜部とを有し、
前記支持部は、前記水槽の接合部に対応して長さ方向に間隔を開けて複数設けられた
ことを特徴とする請求項２又は請求項３記載の水耕栽培装置。
【請求項５】
前記水槽の長さ方向に伸長して、前記複数の支持部を貫通して設けられた金属製の支持部補強部材を備えたことを特徴とする請求項４記載の水耕栽培装置。
【請求項６】
前記水槽分割部材の外側には、隣接する接合部の対応する位置に凸部がそれぞれ設けられており、これらの凸部には、前記水槽の長さ方向において、互いに隣接する前記凸部を挟むように金属製の挟持部材が配設され、
前記各水槽分割部材の内側には、接合部に沿って凹部がそれぞれ設けられ、これらの凹部には充填材が充填された
ことを特徴とする請求項２から請求項５のいずれか１に記載の水耕栽培装置。
【請求項７】
前記定植板は、紫色であることを特徴とする請求項２から請求項６のいずれか１に記載の水耕栽培装置。
【発明の詳細な説明】
【技術分野】
【０００１】
本発明は、野菜等の植物を水耕栽培する水耕栽培装置に関する。
【背景技術】
【０００２】
野菜等の植物を水耕栽培する装置としては、例えば、軽量形鋼よりなる台枠に、水平方向に多段に渡って合成樹脂よりなる中空筒状の栽培用ベッドを配設し、各栽培ベッドの上面に間隔を開けて複数の定植孔を設け、この定植孔に案内保持筒を挿入したものが知られている（例えば、特許文献１参照）。この水耕栽培装置では、案内保持筒に、種子を埋め込んだ水耕栽培床を挿入し、各栽培用ベッドに液肥を流通させて栽培する。
【先行技術文献】
【特許文献】
【０００３】
【特許文献１】実用新案登録第３１５８５９６号公報
【発明の概要】
【発明が解決しようとする課題】
【０００４】
しかしながら、この水耕栽培装置では、中空筒状の栽培用ベッドに設けた定植孔に対して、案内保持筒が所定量挿入されるように固定しなければならないので、構造が複雑で、製造工程も多いという問題があった。また、軽量形鋼よりなる台枠に栽培用ベッドを配設しているので、重さが重くなり、設置が大変であるという問題もあった。【０００５】
本発明は、このような問題に基づきなされたものであり、軽く、構造が簡単で、容易に製造し、設置することができる水耕栽培装置を提供することを目的とする。
【課題を解決するための手段】
【０００６】
本発明の水耕栽培装置は、内部に液肥を流通させる流通部を有し、上面に複数の定植孔が開孔された栽培用ベッドと、この栽培用ベッドを所定の高さに支持する支持部とを備え、栽培用ベッド及び支持部は発泡プラスチックにより構成されたものである。
【発明の効果】
【０００７】
本発明の水耕栽培装置によれば、栽培用ベッド及び支持部を発泡プラスチックにより構成するようにしたので、軽量化することができ、設置を容易とすることができる。また、各部材を容易に一体的に形成することができるので、容易に製造することができると共に、部品点数の数を少なくすることができ、構造を簡素化することができる。【０００８】
特に、栽培用ベッドの水槽を水槽分割部材を接合することにより形成するようにすれば、設置場所等に応じて大きさを調節することができると共に、搬送及び設置を容易とすることができる。【０００９】
また、水槽の幅方向の中央部に、底部に沿って、長さ方向に伸長する金属製の底部補強部材を設けるようにすれば、強度を向上させることができる。【００１０】
更に、支持部に、底部支持部の中央部から一対の脚部と連結部との接合部に向かい斜めに伸長させた一対の傾斜部を設けるようにすれば、又は、支持部を水槽の接合部に対応して複数設けるようにすれば、強度をより向上させることができる。【００１１】
加えて、水槽の長さ方向に伸長して、複数の支持部を貫通して金属製の支持部補強部材を設けるようにすれば、強度をより向上させることができる。【００１２】
更にまた、水槽分割部材の外側において、隣接する接合部の対応する位置に凸部をそれぞれ設け、これらの凸部に、水槽の長さ方向において、互いに隣接する凸部を挟むように金属製の挟持部材を配設するようにすれば、強度をより向上させることができる。【００１３】
加えてまた、定植板を紫色により構成するようにすれば、植物の成長を促進することができる。
【図面の簡単な説明】
【００１４】
【図１】本発明の一実施の形態に係る水耕栽培装置の構成を表す図であり、（Ａ）は上から見た図、（Ｂ）は側面から見た図である。
【図２】図１に示した水耕栽培装置の断面図であり、（Ａ）はＩ−Ｉ線に沿った断面図、（Ｂ）はＩＩ−ＩＩ線に沿った断面図である。
【図３】図１に示したＩＩＩ−ＩＩＩ線に沿った断面図である。
【図４】水耕栽培床の構成を表す図であり、（Ａ）は分解斜視図であり、（Ｂ）は断面図である。
【発明を実施するための形態】
【００１５】
以下、本発明の実施の形態について、図面を参照して詳細に説明する。
【００１６】
図１は本発明の一実施の形態に係る水耕栽培装置１の構成を表すものであり、（Ａ）は上から見た構成を表し、（Ｂ）は側面から見た構成を表している。図２（Ａ）は図１に示したＩ−Ｉ線に沿った断面構成を表し、図２（Ｂ）は図１に示したＩＩ−ＩＩ線に沿った断面構成を表し、図３は図１に示したＩＩＩ−ＩＩＩ線に沿った断面構成を表している。
【００１７】
この水耕栽培装置１は、野菜等の植物を水耕栽培するものであり、植物を栽培する栽培用ベッド１０と、この栽培用ベッド１０を所定の高さに支持する支持部２０とを備えている。栽培用ベッド１０は、例えば、一方向に伸長された水槽１１と、この水槽１１の上に着脱可能に配設された定植板１２とを有しており、内部には液肥を流通させる流通部１３が形成されている。栽培用ベッド１０は発泡プラスチックにより構成されている。すなわち、水槽１１及び定植板１２は、発泡プラスチックにより構成されている。
【００１８】
水槽１１は、例えば、長さ方向において複数に分割された水槽分割部材１１Ａ，１１Ｂを接合することにより形成されている。水槽分割部材１１Ａは、例えば、底部と、一対の側部とを有し、一対の側部の対向方向に対して垂直な方向における両端部及び上部は開放されている。水槽分割部材１１Ｂは、例えば、水槽分割部材１１Ｂの開放された端部を閉鎖する側部を有している。すなわち、水槽分割部材１１Ａは、水槽１１の長さ方向に伸長された底部及び側部を構成し、水槽分割部材１１Ｂは、水槽１１の長さ方向の両端部を構成するものである。水槽１１の内側は、仕切りがなく、全体に渡って１つの流通部１３が形成され、液肥が流れやすくなっている。水槽１１の両端部、すなわち水槽分割部材１１Ｂには、例えば、流通部１３に液肥を流入又は流出させるための流入出口１１Ｃが設けられている。なお、図面に示した例では、水槽１１は、中間の５つの水槽分割部材１１Ａと、両端の２つの水槽分割部材１１Ｂとを接合することにより構成されている。水槽分割部材１１Ａの接合数は、設置場所等に応じて任意に選択される。
【００１９】
水槽分割部材１１Ａの開放された端部、及び、水槽分割部材１１Ａの端部に対向する水槽分割部材１１Ｂの部分は、他の水槽分割部材１１Ａ，１１Ｂとの接合部となっている。水槽分割部材１１Ａ，１１Ｂは、例えば、接着剤により接合することが好ましい。水槽分割部材１１Ａ，１１Ｂの外側には、例えば、図３に示したように、隣接する接合部の対応する位置に凸部１１Ｄがそれぞれ設けられており、これらの凸部１１Ｄには、水槽１１の長さ方向において、互いに隣接する凸部１１Ｄを挟むように金属製の挟持部材３１が配設されていることが好ましい。接合強度を向上させるためである。凸部１１Ｄと挟持部材３１との間も、接着剤により接着することが好ましい。また、水槽分割部材１１Ａ，１１Ｂの内側には、例えば、接合部に沿って凹部１１Ｅがそれぞれ設けられており、これらの凹部１１Ｅにはコーキング材等の充填材１１Ｆが充填されていることが好ましい。液漏れを防止するためである。また、水槽１１の幅方向の中央部には、例えば、底部に沿って、長さ方向に伸長して金属製の底部補強部材３２が設けられていることが好ましい。水槽１１の底部を補強するためである。
【００２０】
定植板１２は、例えば、水槽分割部材１１Ａに対応して、水槽１１の長さ方向において複数に分割されている。定植板１２には、例えば、複数の定植孔１２Ａが所定の間隔で開孔されている。定植孔１２Ａには、種子や苗等が植えられた水耕栽培床４０が挿入される。定植孔１２Ａは、例えば、円形であり、定植板１２の上面には、定植孔１２Ａを囲むように上方に突出された筒状の案内保持部１２Ｂが形成されている。定植孔１２Ａの下部には、例えば、内側に向かって直径を小さくするように突出された係止部１２Ｃが設けられており、水耕栽培床４０を係止するようになっている。定植板１２は、紫色により構成されていることが好ましい。植物の成長を促進することができるからである。
【００２１】
水耕栽培床４０は、例えば、図４に示したように、スポンジ等の多孔性材料からなる平面視ドーナツ状で、ドーナツ状中央の所要円形の中心孔４１から外面に向けて切り欠いた収縮空間４２が全高に渡って形成された円柱床本体４３と、スポンジ等の多孔性材料からなる直方体で、上面中央部に下面に渡って種子や苗等を植える所要長さのスリット４４が刻設された栽培駒４５とを有しているものが好ましい。栽培駒４５は、例えば、高さが円柱床本体４３よりも低く、平面積が円柱床本体４３よりも大きく形成され、円柱床本体４３の中心孔４１の上部に挟持される。円柱床本体４３は、例えば、外径が定植孔１２Ａの内径よりも大きく、高さが定植孔１２Ａと案内保持部１２Ｂとを合わせた高さよりも高くなるように形成されていることが好ましい。
【００２２】
支持部２０は、例えば、発泡プラスチックにより構成されており、水槽１１の接合部に対応して長さ方向に間隔を開けて複数設けられている。各支持部２０は、例えば、水槽１１の底部に沿って幅方向に伸長して設けられた底部支持部２１と、この底部支持部２１の両端側から下方に伸長して設けられた一対の脚部２２と、この一対の脚部２２を下側において連結する連結部２３と、底部支持部２１の中央部から一対の脚部２２と連結部２３との接合部に向かい斜めに伸長して設けられた一対の傾斜部２４とを有している。このように一対の傾斜部２４を設けることにより、支持部２０の強度を向上させ、底部支持部２１の中央部において水槽１１の底部が下方にたるむことを防止できるようになっている。
【００２３】
各支持部２０には、例えば、水槽１１の長さ方向に伸長して、各支持部２０を貫通するように、金属製の支持部補強部材３３が配設されていることが好ましい。支持部２０を補強するためである。支持部２０と栽培用ベッド１０とは接着剤により接合することが好ましい。また、底部支持部２１の上面の一部に金属板３４を接着剤により接合すると共に、水槽１１の底部の一部に金属板３４に対応させて金属板３５を接着剤により接合し、底部支持部２１と水槽１１との接合面と共に、金属板３４と金属板３５とを接着剤により接合するようにすることが好ましい。接合強度を向上させることができるからである。更に、一対の脚部２２の下端部には、金属製の脚部補強部材３６を配設することが好ましい。強度を向上させるためである。
【００２４】
この水耕栽培装置１は、例えば、水槽分割部材１１Ａ，１１Ｂ、定植板１２、及び支持部２０を分割した状態で設置場所に搬入する。そののち、水槽分割部材１１Ａ，１１Ｂを接合して水槽１１を形成し、水槽１１と支持部２０とを接合して、水槽１１の上に定植板１２を載置することにより形成される。使用に際しては、定植孔１２Ａに、種子等を植えた水耕栽培床４０を挿入し、栽培用ベッド１０の内部に液肥を流通させて植物を栽培する。
【００２５】
このように本実施の形態によれば、栽培用ベッド１０及び支持部２０を発泡プラスチックにより構成するようにしたので、軽量化することができ、設置を容易とすることができる。また、各部材を容易に一体的に形成することができるので、容易に製造することができると共に、部品点数の数を少なくすることができ、構造を簡素化することができる。
【００２６】
特に、水槽分割部材１１Ａ，１１Ｂを接合することにより水槽１１を形成するようにすれば、設置場所等に応じて大きさを調節することができると共に、搬送及び設置を容易とすることができる。
【００２７】
また、水槽１１の幅方向の中央部に、底部に沿って、長さ方向に伸長する金属製の底部補強部材３２を設けるようにすれば、又は、水槽１１の長さ方向に伸長して、複数の支持部２０を貫通して金属製の支持部補強部材３３を設けるようにすれば、又は、水槽分割部材１１Ａ，１１Ｂの外側において、隣接する接合部の対応する位置に凸部１１Ｄをそれぞれ設け、これらの凸部１１Ｄに、水槽１１の長さ方向において、互いに隣接する凸部１１Ｄを挟むように金属製の挟持部材３１を配設するようにすれば、強度をより向上させることができる。
【００２８】
更に、支持部２０に、底部支持部２１の中央部から一対の脚部２２と連結部２３との接合部に向かい斜めに伸長させた一対の傾斜部２４を設けるようにすれば、又は、支持部２０を水槽１１の接合部に対応して複数設けるようにすれば、強度をより向上させることができる。
【００２９】
加えて、定植板１２を紫色により構成するようにすれば、植物の成長を促進することができる。
【００３０】
以上、実施の形態を挙げて本発明を説明したが、本発明は上記実施の形態に限定されるものではなく、種々変形可能である。
【産業上の利用可能性】
【００３１】
水耕栽培に用いることができる。
【符号の説明】
【００３２】
１…水耕栽培装置、１０…栽培用ベッド、１１…水槽、１１Ａ，１１Ｂ…水槽分割部材、１１Ｃ…流入出口、１１Ｄ…凸部、１１Ｅ…凹部、１１Ｆ…充填材、１２…定植板、１２Ａ…定植孔、１２Ｂ…案内保持部、１２Ｃ…係止部、１３…流通部、２０…支持部、２１…底部支持部、２２…脚部、２３…連結部、２４…傾斜部、３１…挟持部材、３２…底部補強部材、３３…支持部補強部材、３４，３５…金属板、３６…脚部補強部材、４０…水耕栽培床、４１…中心孔、４２…収縮空間、４３…円柱床本体、４４…スリット、４５…栽培駒
【図１】
2013128593.tif 000003
【図２】
2013128593.tif 000004
【図３】
2013128593.tif 000005
【図４】
2013128593.tif 000006
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
内部に液肥を流通させる流通部を有し、上面に複数の定植孔が開孔された栽培用ベッドと、
この栽培用ベッドを所定の高さに支持する支持部とを備え、
前記栽培用ベッド及び前記支持部は発泡プラスチックにより構成され、
前記栽培用ベッドは、一方向に伸長された水槽と、この水槽の上に配設され、複数の定植孔が設けられた定植板とを有し、
前記水槽は、長さ方向において複数に分割された水槽分割部材を接合することにより形成され、
前記水槽分割部材の外側には、隣接する接合部の対応する位置に凸部がそれぞれ設けられており、これらの凸部には、前記水槽の長さ方向において、互いに隣接する前記凸部を挟むように金属製の挟持部材が配設され、
前記各水槽分割部材の内側には、接合部に沿って凹部がそれぞれ設けられ、これらの凹部には充填材が充填された
ことを特徴とする水耕栽培装置。
【請求項２】
前記水槽の幅方向の中央部に、底部に沿って、長さ方向に伸長して設けられた金属製の底部補強部材を備えたことを特徴とする請求項１記載の水耕栽培装置。
【請求項３】
前記支持部は、前記水槽の底部に沿って幅方向に伸長して設けられた底部支持部と、この底部支持部の両端側から下方に伸長して設けられた一対の脚部と、この一対の脚部を下側において連結する連結部と、前記底部支持部の中央部から前記一対の脚部と前記連結部との接合部に向かい斜めに伸長して設けられた一対の傾斜部とを有し、
前記支持部は、前記水槽の接合部に対応して長さ方向に間隔を開けて複数設けられた
ことを特徴とする請求項１又は請求項２記載の水耕栽培装置。
【請求項４】
前記水槽の長さ方向に伸長して、前記複数の支持部を貫通して設けられた金属製の支持部補強部材を備えたことを特徴とする請求項３記載の水耕栽培装置。
【請求項５】
前記定植板は、紫色であることを特徴とする請求項１から請求項４のいずれか１に記載の水耕栽培装置。
【国際調査報告】
2013128593.tif 000007
2013128593.tif 000008
2013128593.tif 000009
2013128593.tif 000010